(57)【要約】【課題】ヘルプウィンドウに表示され説明されている機能に関する設定項目を容易にメニュー表示することができる測定装置および測定装置の操作方法を実現することにある。【解決手段】装置の機能に関する設定項目が割り当てられたメニューと機能の説明を行なうヘルプウィンドウとを表示画面に表示する測定装置に改良を加えたものである。本装置は、ヘルプウィンドウで説明されている機能を選択する操作部と、この操作部が選択した機能に関する設定項目のメニューを表示するメニュー表示手段とを設けたことを特徴とするものである。【選択図】図１
2010096674.tif 000002
【特許請求の範囲】
【請求項１】
装置の機能に関する設定項目が割り当てられたメニューと前記機能の説明を行なうヘルプウィンドウとを表示画面に表示する測定装置において、
前記ヘルプウィンドウで説明されている機能を選択する操作部と、
この操作部が選択した機能に関する設定項目のメニューを表示するメニュー表示手段と
を設けたことを特徴とする測定装置。
【請求項２】
前記操作部で選択されたものを解析する識別手段を設け、
メニュー表示手段は、前記識別手段の解析結果に基づいて前記メニューを表示することを特徴とする請求項１記載の測定装置。
【請求項３】
前記操作部が選択した機能を複数個記憶する履歴記憶部を設け、
メニュー表示手段は、前記履歴記憶部に記憶された複数個の機能に関するメニューを表示することを特徴とする請求項１または２記載の測定装置。
【請求項４】
メニュー表示手段は、メニューの表示位置の変更、メニューの非表示の少なくとも一方を行なうことを特徴とする請求項１〜３のいずれかに記載の測定装置。
【請求項５】
装置の機能に関する設定項目が割り当てられたメニューと前記機能の説明を行なうヘルプウィンドウとを表示画面に表示する測定装置の操作方法において、
ヘルプウィンドウ表示手段が、ヘルプウィンドウを表示するステップと、
操作部が、前記ヘルプウィンドウで説明されている機能を選択するステップと、
メニュー表示手段が、前記操作部で選択された機能に関する設定項目のメニューを表示するステップと、
ヘルプウィンドウ表示手段が、ヘルプウィンドウを閉じるステップと
を有することを特徴とする測定装置の操作方法。
【発明の詳細な説明】
【技術分野】
【０００１】
本発明は、装置の機能に関する設定項目が割り当てられたメニューと機能の説明を行なうヘルプウィンドウとを表示画面に表示する測定装置および測定装置の測定方法に関し、詳しくは、ヘルプウィンドウに表示され説明されている機能に関する設定項目を容易にメニュー表示することができる測定装置および測定装置の操作方法に関するものである。
【背景技術】
【０００２】
測定装置は、例えば、波形測定装置（デジタルオシロスコープ、ロジックアナライザ等）、電力計、電圧電流発生装置等であり、測定結果の表示や装置の設定を行なうための表示部が設けられる。
【０００３】
図９は、従来の測定装置の筐体前面の一部を示した図であり、波形測定装置を一例として示している。図９（ａ）は装置前面の一部の一例であり、（ｂ）はメニューの説明用の拡大図である。
【０００４】
図９において、表示画面１００は、測定結果、解析結果等を表示する波形表示領域１０１、測定装置の各種機能を実行・設定等をするための装置設定用のメニューＭ１〜Ｍ５が表示される。
【０００５】
波形表示領域１０１は、表示画面１００の大部分を占め、測定結果の波形表示、解析結果等が表示される。メニューＭ１〜Ｍ５は、領域１０１の下側に表示され、メニューＭ１〜Ｍ５内の上段に装置の機能に関する設定項目のタイトル、下段に設定項目の選択肢、設定値等が表示される。
【０００６】
メニューキーＦ１〜Ｆ５は、表示画面１００の外であって、各メニューＭ１〜Ｍ５に対応させて設けられる。
【０００７】
なお、ソフトメニューはファンクションメニューと呼ばれ、メニューキーはファンクションキーと呼ばれることもある。また、メニューキーＦ１〜Ｆ５を５個とする（つまり、表示画面上に表示されるメニューの個数が最大で５個）一例を示しているが、表示画面１００の大きさ、装置自体の大きさによって個数は異なる。
【０００８】
そして、設定項目を選択する場合、所望の設定項目が割り当てられたメニューＭ１〜Ｍ５の下に設けられるメニューキーＦ１〜Ｆ５を押して、各メニューＭ１〜Ｍ５を選択する。例えば、メニューＭ１を選択する場合は、メニューキーＦ１を押す。そして、操作パネルのキー、ロータリーノブ、外付けのマウス等を用いて、選択した設定項目の選択肢の選択や設定値の設定等を行なう。
【０００９】
一方、測定装置の操作や、各種機能の実行・設定等が不明の場合、従来は紙の取扱説明書を参照しつつ各種操作を行なうことが多かったが、近年は、表示画面１００上にヘルプウィンドウを表示させることが多い（例えば、特許文献１、２参照）。
【００１０】
ここで、図１０は、図９に示す表示画面にヘルプウィンドウ２００を表示した例である。ユーザが、装置前面のヘルプボタン（図示せず）を押すことにより、新たなウィンドウが開き、ヘルプウィンドウ２００が表示される。
【００１１】
ヘルプウィンドウ２００は、例えば、タイトルバー２０１、メニューバー（メニューボタン）２０２、目次表示領域２０３、コンテンツ表示領域２０４等からなり、目次表示領域２０３の項目を選択することにより、選択した項目の説明がコンテンツ表示領域２０４に詳細に説明される。なお、コンテンツ表示領域２０４は、テキストのみならず、ダイアログボックス、テキストボックス、リンク等、様々なコンテンツが表示される。
【００１２】
また、表示すべき説明対象の機能をあらかじめ登録したり、キーワード検索等を行なうことにより、ヘルプウィンドウ２００を表示させて目次表示領域２０３から選択しなくても、直接ヘルプウィンドウ２００のコンテンツ表示領域２０４に説明対象の機能の説明文を表示させることもできる。
【００１３】
【特許文献１】特開平０７−２７０４５３号公報
【特許文献２】特開平１１−１１８８３５号公報
【発明の開示】
【発明が解決しようとする課題】
【００１４】
近年の波形測定装置は、高機能化しており、数十〜数百の設定項目が存在する場合もある。このような場合、ヘルプウィンドウ２００で所望の機能に関する説明文を表示させ、その機能の設定方法を理解したとしても、機能に関する設定項目そのものを表示画面１００のメニューに表示させることが困難であるという問題があった。
【００１５】
具体的に説明する。
近年の測定装置自体の小型化の要求により、測定装置に一体化している表示画面１００を大きくすることは困難であり、波形測定装置であれば、例えば、数〜十数インチ程度であり、１０インチ未満のものも多い。そのため、一度に表示できるメニューＭ１〜Ｍ５の個数にも限界がある。
【００１６】
例えば、図９に示すようにメニューキーＦ１〜Ｆ５が５個の場合、設定項目も５個であれば一度に全て表示することができるが、６個以上の場合は一度に全てを表示することができない。そこで、一番右端のメニューに「Ｎｅｘｔ」の設定項目を設け、このメニューＭ５に対応するキーＦ５を押すことにより、次のメニューページを表示し、残りのメニューを表示することができる。
【００１７】
図１１を用いて説明する。図１１は、機能に関する設定項目が１１個の場合の表示例である。一番右端の「Ｎｅｘｔ」のメニューを選択する（対応するキーＦ５を押す）ことによって、メニューのページが更新され、表示される設定項目の切り替えが行なわれる。
【００１８】
なお、各機能に関する設定項目のタイトルは、説明を簡単にするため、「Ａ」〜「Ｅ」、「Ａ０」〜「Ａ２」、「Ａ２１」〜「Ａ２３」としている。また、３ページ目のメニューでは、キーＦ１のメニューは、非表示としている。
【００１９】
上述のように測定装置の高機能化によって設定する項目数が非常に多くなっている。そのため、ヘルプウィンドウ２００で所望の機能の説明文を表示させたとしても、説明されている機能に関する設定項目そのものを表示させるには、図１１に示すようにページをめくって順番に表示を切り替える必要がある。そして、ページ数が非常に多いたため、所望の機能の設定項目を見つけることが困難であり、測定装置の操作性が悪いという問題があった。
【００２０】
一方、関連する機能で設定項目をまとめ、階層化させる場合もある。
図１２を用いて説明する。例えば、設定項目「Ａ」に設定項目「Ａ０」〜「Ａ２」が関連し、設定項目Ａ２に設定項目「Ａ２１」〜「Ａ２３」が関連する場合、設定項目「Ａ」〜「Ｅ」が第１階層となり、設定項目「Ａ０」〜「Ａ２」が第２階層となり、設定項目「Ａ２１」〜「Ａ２３」が第３階層となる。なお、第１階層が最も上位の階層であり、第３階層にいくほど下位の階層である。
【００２１】
このような階層化された場合のメニューの表示例を図１３に示す。
図１３は、上位階層のメニューの表示をそのままに、選択された設定項目「Ａ」、「Ａ２」の下位階層のメニューを同一位置に重ね書きした一例である。なお、上位階層のメニューは暗く表示され、新たに表示された下位階層のメニューと区別されている。
【００２２】
このように、ヘルプウィンドウ２００で所望の機能のヘルプを表示させたとしても、その機能に関する設定項目そのものを表示させるには、図１３に示すように何度もファンクションキーをおして、順番に下位の階層を表示させていく必要がある。そして、階層が深いため所望の機能の設定項目を見つけることが困難であり、測定装置の操作性が悪いという問題があった。
【００２３】
そこで本発明の目的は、ヘルプウィンドウに表示され説明されている機能に関する設定項目を容易にメニュー表示することができる測定装置および測定装置の操作方法を実現することにある。
【課題を解決するための手段】
【００２４】
請求項１記載の発明は、
装置の機能に関する設定項目が割り当てられたメニューと前記機能の説明を行なうヘルプウィンドウとを表示画面に表示する測定装置において、
前記ヘルプウィンドウで説明されている機能を選択する操作部と、
この操作部が選択した機能に関する設定項目のメニューを表示するメニュー表示手段と
を設けたことを特徴とするものである。
請求項２記載の発明は、請求項１記載の発明において、
前記操作部で選択されたものを解析する識別手段を設け、
メニュー表示手段は、前記識別手段の解析結果に基づいて前記メニューを表示することを特徴とするものである。
請求項３記載の発明は、請求項１または２記載の発明において、
前記操作部が選択した機能を複数個記憶する履歴記憶部を設け、
メニュー表示手段は、前記履歴記憶部に記憶された複数個の機能に関するメニューを表示することを特徴とするものである。
請求項４記載の発明は、請求項１〜３のいずれかに記載の発明において、
メニュー表示手段は、メニューの表示位置の変更、メニューの非表示の少なくとも一方を行なうことを特徴とするものである。
請求項５記載の発明は、
装置の機能に関する設定項目が割り当てられたメニューと前記機能の説明を行なうヘルプウィンドウとを表示画面に表示する測定装置の操作方法において、
ヘルプウィンドウ表示手段が、ヘルプウィンドウを表示するステップと、
操作部が、前記ヘルプウィンドウで説明されている機能を選択するステップと、
メニュー表示手段が、前記操作部で選択された機能に関する設定項目のメニューを表示するステップと、
ヘルプウィンドウ表示手段が、ヘルプウィンドウを閉じるステップと
を有することを特徴とするものである。
【発明の効果】
【００２５】
本発明によれば、以下のような効果がある。
操作部が、ヘルプウィンドウで説明されている機能を選択し、メニュー表示手段が、操作部によって選択された機能に関する設定項目のメニューを表示するので、機能に関する設定項目が非常に多くとも、所望の機能に関する設定項目を容易にメニュー表示することができる。これにより、その機能に関する説明を読んだ後、ただちにその機能を操作することができる。従って、測定装置の操作性が格段によくなる。
【００２６】
ヘルプウィンドウ表示手段が、ヘルプウィンドウを表示し、操作部が、ヘルプウィンドウで説明されている機能を選択し、メニュー表示手段が、操作部で選択された機能に関する設定項目のメニューを表示する。そして、ヘルプウィンドウ表示手段が、ヘルプウィンドウを閉じるので、機能に関する設定項目が非常に多くとも、所望の機能に関する設定項目を容易にメニュー表示することができ、機能の操作を直ちに行なえる。これにより、その機能に関する説明を読んだ後、ただちにその機能を操作することができ、測定装置の操作性が格段によくなる。
【発明を実施するための最良の形態】
【００２７】
以下図面を用いて本発明の実施の形態を説明する。
図１は、本発明の一実施例を示した構成図である。図１において、測定部１０は、被測定信号が入力され、デジタルデータを出力する。メモリ２０は、測定部１０からのデジタルデータを格納する。
【００２８】
メニュー記憶部３０は、測定装置の各種機能に関する設定項目、各設定項目同士の関連性、設定項目の階層等のメニュー情報が格納される。例えば、図１１〜図１３に示すような各種機能に関する項目、階層化構造である。
【００２９】
ヘルプ記憶部４０は、各種機能の説明文が記憶される。各機能ごとにファイルとして保存されるが、ファイルはマークアップランゲージ（markup language）で記載されており、文書のレイアウト規定、文書の中に音声・画像・動画・他の文書（他のファイル）へのリンク、ユーザ入力コントロール（例えば、エディットボックス、テキストボックス、ラジオボタン、ボタン、チェックボックス等）等が埋め込まれる。さらに、文書の一部が「タグ」と呼ばれる特別な文字列で囲われており、文章のレイアウト規定(文書の見出し、ハイパーリンク等)や、修飾情報(文字の大きさ、フォント等)も、文章中に記述されている。
【００３０】
操作部５０は、、測定装置のキー（メニューキーＦ１〜Ｆ５を含む）、ロータリーノブ、外付けのマウス、外付けのキーボード等であり、ユーザの操作内容を出力する。
【００３１】
表示処理部６０は、操作部５０からの指示により、メモリ２０からのデジタルデータの読み出し、メニュー記憶部３０のメニュー情報の読み出し、ヘルプ記憶部４０のファイルの読み出しなどを行ない、表示部７０の表示画面１００に波形、メニュー、ヘルプウィンドウ等を表示する。
【００３２】
メニュー表示手段６１は、メニュー記憶部３０のメニュー情報に基づいて、表示部７０の表示画面１００に各種機能に関する設定項目を割り付けたメニューを表示する。
【００３３】
ヘルプ表示手段６２は、ヘルプ記憶部４０のファイルの内容に基づいて、表示部７０の表示画面１００にヘルプウィンドウを開き、各種機能に関する説明文を表示する。なお、ヘルプ表示手段６２は、例えば、Ｗｅｂブラウザであり、マークアップランゲージで記述されたファイルの内容を解析し、その解析結果に応じた表示、再生をするもの（アプリケーションプログラム）である。
【００３４】
識別手段６３は、操作部５０の操作内容を解析し、その結果に基づいてメニュー表示手段６１、ヘルプ表示手段６２に指示を出力する。
【００３５】
表示部７０は、装置前面の表示画面１００に表示処理部６０からの画像データを表示する。
【００３６】
このような装置の動作を説明する。
測定部１０が、被測定信号をＡＤ変換器（図示せず）によって所定のサンプリングレートでデジタルデータに変換し、時系列順にメモリ２０へ格納する。
【００３７】
さらに、測定部１０が、所定のデータ長のデジタルデータ（例えば、トリガ信号を基準とし、この基準となるトリガ信号前後の所望時間分のデジタルデータ）をメモリ２０に書き込む。そして、次のトリガ信号を検出すると所定のデータ長のデジタルデータをメモリ２０に再度書き込む動作を繰返す。ここで、所定のデータ長からなるデジタルデータを波形データと呼ぶ。
【００３８】
そして、表示処理部４０が、メモリ２０から波形データを読み出し、表示画面１００の波形表示領域１０１に波形表示、解析結果等の表示を行なう。
【００３９】
なお、操作部５０からメニュー表示の指示が表示処理部６０に通知された場合、メニュー表示手段６１が、メニュー記憶部３０から所定の機能に関する設定項目を読み出し、各設定項目をメニューに割り当てて、初期状態のメニューを表示する。
【００４０】
続いて、ヘルプウィンドウに関する動作について説明する。ここで、図２は、ヘルプウィンドウに関する動作について説明した図である。
【００４１】
操作部６０がユーザに操作されると（Ｓ１０）、その操作内容が表示処理部６０の識別手段６３に出力される。例えば、ヘルプボタンと関係のないキー、ロータリーノブ等がおされた場合は、表示処理部６０が指定された処理を実行する（Ｓ１１、Ｓ１２）。
【００４２】
一方、操作部６０のヘルプボタンや、登録済みのボタン（所定の説明対象の機能を表示させるためのボタン）、キーワード検索等が行なわれた場合、識別手段６３が操作内容を解析し、ヘルプ表示手段６２にヘルプウィンドウの表示を指示する。これによって、ヘルプ表示手段６２がヘルプウィンドウを表示画面２００に表示する（Ｓ１１、Ｓ１３）。
【００４３】
ここで、図３は、表示画面１００の表示例を示した図であり、ヘルプ表示手段６２によってヘルプウィンドウ３００が表示された一例である。ヘルプウィンドウ３００は、例えば、タイトルバー３０１、メニューバー（メニューボタン）３０２、目次表示領域３０３、コンテンツ表示領域３０４等からなり、目次表示領域３０３の項目を選択することにより、選択した項目の説明がコンテンツ表示領域３０４に詳細に説明される。なお、コンテンツ表示領域３０４は、テキストのみならず、上述のユーザ入力コントロール（ダイアログボックス、テキストボックス、リンク等）等の様々なコンテンツが表示される。
【００４４】
そして、コンテンツ表示領域３０４には、各種機能の説明文に対応しユーザ入力コントロールの一種であるボタンＢ１〜Ｂ６が設けられる。
【００４５】
そして、操作部５０によって目次表示領域３０３の項目（ハイパーリンクがはられている）や、コンテンツ表示領域３０４のユーザ入力コントロールが選択される（いわゆるイベントが発生する）（Ｓ１４）。
【００４６】
上述のように、ファイルは、マークアップラングエージで記載されているので、識別手段６３が、操作部５０で選択され、イベントのターゲットとなる項目やユーザ入力コントロールの”タグ”を解析する。例えば、ヘルプ記憶部４０に記憶されたファイルを読み出すものであれば、マークアップラングエージの規格に合致するタグになっている。従って、識別手段６３が、マークアップラングエージの規格に合致するタグであれば、ヘルプ手段６２に対象となるファイルを読み出させ、ヘルプウィンドウ３００の表示内容を更新させる（Ｓ１５，Ｓ１６）。
【００４７】
一方、マークアップラングエージの規格に合致しない場合や、一部合致しても引数があらかじめ設定したユニークな値の場合、識別手段６３がタグと各種機能とを対応させたテーブルを参照し、操作部５０で選択された機能をメニュー表示手段６１に出力する。そして、メニュー表示手段６１が、識別手段６３からの指示に従って、選択された機能に関する設定項目をメニュー記憶部３０から読み出し、表示画面１００のメニューに読み出した設定項目を表示する（Ｓ１５，Ｓ１７）。
【００４８】
ここで、図４は、表示画面１００のその他の表示例を示した図である。図３において、例えば、機能Ａ２２に対応するボタンＢ６が操作部５０によって選択される。これによって、操作部５０によって選択されたボタンＢ６のタグを識別手段６３が解析し、解析結果をメニュー表示手段６１に出力する。そして、メニュー表示手段６１が、解析結果に基づいて、メニュー記憶部３０からメニュー情報を読み出し、設定項目Ａ２２と同一階層の設定項目Ａ２１，Ａ２３も読み出し、これらの設定項目Ａ２１〜Ａ２３のメニューを表示する（図４参照）。
【００４９】
メニュー表示手段６１は、メニューの更新を終了したらその旨をヘルプ表示手段６２に出力し、ヘルプ表示手段６２は、ヘルプウィンドウ３００を閉じる。
【００５０】
このように、操作部５０が、ヘルプウィンドウ３００で説明されている機能を選択し、メニュー表示手段６１が、操作部５０によって選択された機能に関する設定項目のメニューを表示するので、機能に関する設定項目が非常に多くとも、所望の機能に関する設定項目を容易にメニュー表示することができる。これにより、その機能に関する説明を読んだ後、ただちにその機能を操作することができる。従って、測定装置の操作性が格段によくなる。
【００５１】
また、ヘルプ表示手段６２のボタンＢ１〜Ｂ６等の操作に対し、識別手段６３が、ファイルのタグで識別してメニュー表示手段６１に表示をさせるので、サーバサイド側の処理（ＣＧＩ等）やスクリプト系の処理（Ｊａｖａ（登録商標）Ｓｃｒｉｐｔ等）を用いる必要がない。
【００５２】
なお、本発明はこれに限定されるものではなく、以下に示すようなものでもよい。
（１）操作部５０が、ヘルプウィンドウ３００のコンテンツ表示領域３０４で、機能に関する説明文に対応したボタンＢ１〜Ｂ６をクリックし、対象の機能を選択する構成を示したがボタンＢ１〜Ｂ６でなく、ハイパーリンク等としてもよい。
【００５３】
（２）ヘルプウィンドウ３００で表示され説明されている機能のなかで、操作部５０によって選択された機能に関する設定項目のメニューを表示画面１００に表示する構成を示したが、例えば、ヘルプウィンドウ３００でメニューのレイアウトに関する説明が表示されている場合、メニュー表示手段６１は、メニューの設定項目はそのままで、メニューのレイアウトを変更してもよい。例えば、図５に示すように、メニューのを表示画面１００の下側から右側に移動させ、レイアウトを変更してもよい。なお、図５においては、波形表示領域１０１の図示は省略している。
【００５４】
（３）ヘルプウィンドウ３００で表示され説明されている機能のなかで、操作部５０によって選択された機能に関する設定項目のメニューを表示画面１００に表示する構成を示したが、例えば、ヘルプウィンドウ３００でメニューの表示／非表示に関する説明が表示されている場合、操作部５０の操作に従って、メニュー表示手段６１が、メニューの表示、非表示を行なってもよい。例えば、図６に示すように、表示画面１００にメニューが表示されている状態から、メニューを非表示としてもよい。
【００５５】
（４）測定装置では、表示画面１００の表示内容とは別に、バックグランドで処理を行なうことが多い。このような場合、例えば、ヘルプウィンドウ３００でバックグランド処理に関する説明が表示されている場合、操作部５０の操作に従って、メニュー表示手段６１が、メニューの表示、非表示を行なうと共に、処理部（図示せず）が、バックグランド処理を終了／中断／再開してもよい。例えば、図７に示すように、表示画面１００にメニューが表示されている状態から、メニューを非表示とし、バックグランド処理が中止されているこを表示処理部６０が表示してもよい。
【００５６】
（５）ヘルプウィンドウ３００で表示され説明されている機能のなかで、操作部５０によって選択された機能に関する設定項目と同一階層のメニューを表示画面１００に表示する構成を示したが、異なる階層間、異なるページ間の設定項目をメニューに表示していもよい。このような場合、履歴記憶部を設ける。そして、ヘルプウィンドウ３００で表示され説明されている機能のなかで、操作部５０によって選択された機能を履歴記憶部に順次記憶する。そして、ヘルプウィンドウ３００で選択終了のボタン（図示せず）が選択されると、メニュー表示手段６１が、履歴記憶部を参照し、選択された各機能に関する設定項目をメニューに表示する。例えば、図８に示すように、表示画面１００に表示する。図８に示す例では、機能Ａ０、機能Ｂ、機能Ｃ、機能Ａ２２，機能Ａ２１の順で選択され、この履歴が履歴記憶部に記憶される。そして、メニュー表示手段６１が、各機能のメニュー情報を読み出し、左から順に機能Ａ０，機能Ｂ、機能Ｃ、機能Ａ２２，機能Ａ２１に関する設定項目のメニューを表示している。
【００５７】
（６）メニュー表示手段６１が、メニューの移動、メニューの非表示それぞれを行なう構成を示したが、これらの処理をシーケンシャルに行なってもよい。上述のように履歴記憶部を設け、例えば、メニューの移動、メニューの非表示が選択された旨の履歴を記憶する。そして、ヘルプウィンドウ３００で選択終了のボタン（図示せず）が選択されると、メニュー表示手段６１が、履歴記憶部を参照し、選択された各機能に従って、メニューの移動（図５）、メニューの非表示（図６）等を順に行なうとよい。
【００５８】
（７）波形測定装置（デジタルオシロスコープ）に用いる構成を示したが、その他の測定装置（電力計、電圧電流発生装置等）に本発明を用いてもよい。
【図面の簡単な説明】
【００５９】
【図１】本発明の一実施例を示した構成図である。
【図２】図１に示す装置の動作を説明したフローチャートである。
【図３】図１に示す装置の表示例を示した図である。
【図４】図１に示す装置のその他の表示例を示した図である。
【図５】図１に示す装置のその他の表示例を示した図である。
【図６】図１に示す装置のその他の表示例を示した図である。
【図７】図１に示す装置のその他の表示例を示した図である。
【図８】図１に示す装置のその他の表示例を示した図である。
【図９】従来の測定装置の表示例を示した図である。
【図１０】従来の測定装置のその他の表示例を示した図である。
【図１１】従来の測定装置のその他の表示例を示した図である。
【図１２】階層化構造の一例を示した図である。
【図１３】従来の測定装置のその他の表示例を示した図である。
【符号の説明】
【００６０】
５０  操作部
６１  メニュー表示手段
６２  ヘルプ表示手段
６３  識別手段
１１０  表示画面
【図１】
2010096674.tif 000003
【図２】
2010096674.tif 000004
【図９】
2010096674.tif 000005
【図１０】
2010096674.tif 000006
【図１１】
2010096674.tif 000007
【図１２】
2010096674.tif 000008
【図３】
2010096674.tif 000009
【図４】
2010096674.tif 000010
【図５】
2010096674.tif 000011
【図６】
2010096674.tif 000012
【図７】
2010096674.tif 000013
【図８】
2010096674.tif 000014
【図１３】
2010096674.tif 000015